(57)【要約】【課題】機器の排熱を効率化を容易にし、あるいはキャッピングを容易にするためのアイルキャップ装置等を提供する。【解決手段】ラックＲに収納された機器の排熱のために流れる気流の経路を制御するため、ラックＲの頂部からラックＲの前面方向又は背面方向に突出するようにスライドバー４を固定し、気流を遮断する材質からなるアイルカーテン５を、冷気の導入口Ｄ（又は暖気の排出口）とラックＲの前面又は背面とを囲むために、スライドバー４に着脱可能な形で装着する。【選択図】図１
2012084700.tif 000002
【特許請求の範囲】
【請求項１】
ラックに収納された機器の排熱のために流れる気流の経路を制御するためのアイルキャップ装置であって、
前記ラックの頂部から前記ラックの前面方向又は背面方向に突出するように固定されるカーテン支持部と、
気流を遮断する材質からなり、外部にある前記気流の供給口又は排出口と前記ラックの前面又は背面とを囲むために、前記気流遮断部材支持部に着脱可能に装着されるカーテンと、
を備えるアイルキャップ装置。
【請求項２】
前記カーテン支持部は、スライドバーと、スライドバー支持部とより構成されており、
前記スライドバー支持部は、前記スライドバーが前記ラックの頂部から前記ラックの前面方向又は背面方向に突出するようスライド可能な態様で、前記スライドバーを支持する、
請求項１に記載のアイルキャップ装置。
【請求項３】
前記スライドバー支持部は、前記スライドバー支持部を前記ラックに固定するためのクランプを備える、
請求項２に記載のアイルキャップ装置。
【請求項４】
直立して、前記カーテン支持部を前記ラックの頂部から前記ラックの前面方向又は背面方向に突出する位置に保持する脚部をさらに備える、
請求項１又は２に記載のアイルキャップ装置。
【請求項５】
ラックに収納された機器の排熱のために流れる気流の経路を制御するためのアイルキャップ方法であって、
前記ラックの頂部から前記ラックの前面方向又は背面方向に突出するようにカーテン支持部を固定するステップと、
気流を遮断する材質からなるカーテンを、外部にある前記気流の供給口又は排出口と前記ラックの前面又は背面とを囲むために、前記気流遮断部材支持部に着脱可能に装着するステップと、
より構成されるアイルキャップ方法。
【発明の詳細な説明】
【技術分野】
【０００１】
本発明は、機器の排熱の経路をコントロールするためのアイルキャップ装置及びアイルキャップ方法に関する。
【背景技術】
【０００２】
コンピューターなどの電気機器には、その発熱による異常動作などを防ぐため、発熱により生じた暖気を排気する構造が採られているものが多い。また、機器を冷却するための冷気を外部から供給（給気）する手法も行われている。
【０００３】
もっとも、排気された暖気が再び機器に熱を供給するような循環を起こすと、排気を行っても効率的に排熱を行うことができず、機器の異常動作等のおそれが除去されない。この問題は、多数の機器が同一の室内に配置されている等の場合には特に顕著になる。
【０００４】
そこでこの問題を解消するため、たとえば特許文献１の図１に上面図を示すような配置を用いる手法がとられてきた。すなわち、図示されているように、機器が収納された複数のラックを直線状に横並びに配置して、これらのラックがなす列を境界とする通路を形成し、これらのラックに、冷気の給気口が同一方向を向くように機器を収納し、冷気が、これらの給気口が対向している通路（コールドアイル）を集中的に経由して給気されるようにする、という手法が用いられていた。また、給排気を効率化するために、空気の循環を遮断する部材によりコールドアイルを遮蔽（キャッピング）するという手法も採られてきた。なお、ラックの列を挟んでコールドアイルの反対側に位置する通路（ホットアイル）には、これらの機器が生成した暖気の排気が行われるのが通常である。
【先行技術文献】
【特許文献】
【０００５】
【特許文献１】特開２００９−２３６３３５号公報
【発明の概要】
【発明が解決しようとする課題】
【０００６】
しかし、ラックに収納される機器の発熱量や給排気の態様はさまざまであり、コールドアイルを経由する経路へと一括するように給気を行う上記の手法では、必ずしも各機器の排熱が効率化されない。ことに、ラックの形状や機器の形状またはその他の理由により給気口をコールドアイルに向けてラックに収納することができない機器を、やむを得ず反対方向（すなわち給気口がホットアイルに対向するするような向き）に収納した場合は、コールドアイルに暖気が混入して、各機器の排熱が極めて非効率になる。
また、コールドアイルをキャッピングする手法は、キャッピングを行う部材が大がかりとなり、部材の着脱が容易に行えない。
【０００７】
本発明は、上述の問題点に鑑みてなされたもので、機器の排熱を効率化を容易にし、あるいはキャッピングを容易にするためのアイルキャップ装置及びアイルキャップ方法を提供することを目的とする。
【課題を解決するための手段】
【０００８】
上記目的を達成するため、本発明の第１の観点に係るアイルキャップ装置は、
ラックに収納された機器の排熱のために流れる気流の経路を制御するためのアイルキャップ装置であって、
前記ラックの頂部から前記ラックの前面方向又は背面方向に突出するように固定されるカーテン支持部と、
気流を遮断する材質からなり、外部にある前記気流の供給口又は排出口と前記ラックの前面又は背面とを囲むために、前記気流遮断部材支持部に着脱可能に装着されるカーテンと、
を備える。
【０００９】
前記カーテン支持部は、スライドバーと、スライドバー支持部とより構成されていてもよく、
この場合、前記スライドバー支持部は、前記スライドバーが前記ラックの頂部から前記ラックの前面方向又は背面方向に突出するようスライド可能な態様で、前記スライドバーを支持するものであればよい。
【００１０】
前記スライドバー支持部は、前記スライドバー支持部を前記ラックに固定するためのクランプを備えるものであってもよい。
【００１１】
前記アイルキャップ装置は、直立して、前記カーテン支持部を前記ラックの頂部から前記ラックの前面方向又は背面方向に突出する位置に保持する脚部をさらに備えていてもよい。
【００１２】
また、本発明の第２の観点に係るアイルキャップ方法は、
ラックに収納された機器の排熱のために流れる気流の経路を制御するためのアイルキャップ方法であって、
前記ラックの頂部から前記ラックの前面方向又は背面方向に突出するようにカーテン支持部を固定するステップと、
気流を遮断する材質からなるカーテンを、外部にある前記気流の供給口又は排出口と前記ラックの前面又は背面とを囲むために、前記気流遮断部材支持部に着脱可能に装着するステップと、
より構成される。
【発明の効果】
【００１３】
本発明によれば、機器の排熱を効率化を容易にし、あるいはキャッピングを容易にするためのアイルキャップ装置及びアイルキャップ方法が実現される。
【図面の簡単な説明】
【００１４】
【図１】本発明の実施の形態に係るアイルキャップ装置を示す斜視図である。
【図２】図１のアイルキャップ装置を示す側面図である。
【図３】図１のアイルキャップ装置を示す上面図である。
【図４】図１のアイルキャップ装置を装着する態様の変形例を示す図である。
【図５】図１のアイルキャップ装置の変形例を示す分解斜視図である。
【図６】図１のアイルキャップ装置の変形例を示す分解斜視図である。
【発明を実施するための形態】
【００１５】
以下、本発明の実施の形態を、図面を参照しつつ説明する。
本発明の実施の形態に係るアイルキャップ装置は、発熱する機器（たとえば、サーバーコンピュータ等の電気機器）を収納するためのラックに装着して用いられるものであり、斜視図を図１に、側面図を図２に、上面図を図３にそれぞれ示すように、天板１と、ラック固定金具２Ａ及び２Ｂと、バー収納レール３Ａ及び３Ｂと、スライドバー４と、アイルカーテン５と、天井板６とから構成されている。
【００１６】
なお、以下では、このアイルキャップ装置を装着する対象であるラックＲは、図示するように、互いに平行になるよう対向して直立する１対の側板Ｒ１Ａ及びＲ１Ｂと、側板Ｒ１Ａ及びＲ１Ｂの頂部同士の間に水平に配置されて当該頂部同士を互いに連結する天板Ｒ２と、側板Ｒ１Ａ及びＲ１Ｂの底部同士の間に水平に配置されて当該底部同士を互いに連結する底板Ｒ３と、側板の同士の間に水平に配置された棚板Ｒ４−１、Ｒ４−２，…，Ｒ４−ｎ（ｎは棚板の総枚数）とから構成されているものとして説明する。また、以下では、側板Ｒ１Ａ及びＲ１Ｂ、天板Ｒ２並びに底板Ｒ３とにより形成される開口面のうち所定の一方がラックＲの前面、他方がラックＲの背面であるとして説明する。
【００１７】
天板１は、たとえば、上面（及び下面）がラックＲの天板Ｒ１の上面をほぼ覆う大きさの長方形である平板からなる。天板１の下面には、たとえば図示するように下面に垂直に延びる棒状の固定用脚部１１Ａ〜１１Ｄが設けられている。
【００１８】
固定用脚部１１Ａの下端には、たとえば、ロッカーＲの天板Ｒ１と接触する際に天板Ｒ１を傷つけにくい部材（たとえば、ゴム等）からなる接触部１２Ａが設けられている。同様に、固定用脚部１１Ｂ、１１Ｃ及び１１Ｄの下端には、それぞれ、接触部１２Ａと実質的に同一の接触部１２Ｂ、１２Ｃ及び１２Ｄが設けられている。
【００１９】
天板１の左右両端には、一対のラック固定金具２Ａ及び２Ｂが配置されている。ラック固定金具２Ａ及び２Ｂは、天板１をラックに固定するためのクランプの機能を行うものである。なお、図２及び図３は、ラックＲの前面の側から見て天板１の右端にラック固定金具２Ａが配置され、左端にラック固定金具２Ｂが配置されている場合を図示している。
ラック固定金具２Ａは、たとえば、ボルト２１Ａと、前側口金２２Ａと、後側口金２３Ａと、ナット２４Ａとより構成されている。
【００２０】
ボルト２１Ａは、たとえば、図示するように天板１の内部を天板１の後縁から前縁へと貫通している（なお、本明細書及び図面では、天板１の各側面のうち、天板１をラックＲに装着したときラックＲの前面と同方向を向く面が前縁、ラックＲの背面と同方向を向く面が後縁であるとして説明を行う）。
【００２１】
前側口金２２Ａは、ボルト２１Ａの底部（すなわち、天板１の前縁から露出している側の端部）に固定されており、ボルト２１Ａの軸に垂直な方向に延びる板状をなしている。
前側口金２２Ａの上面、すなわち天板１がラックＲに固定されるときラックＲの天板Ｒ１の前縁に対向する面には、たとえば、接触部１１Ａと同様な部材からなる接触部２５Ａが設けられている。
【００２２】
後側口金２３Ａは、ボルト２１Ａが貫通するような孔部を有しており、ボルト２１Ａの頂部（すなわち、天板１の後縁から露出している側の端部）に、ボルト２１Ａの軸方向に移動可能となるよう配置され、この軸に垂直な方向に延びる板状をなしている。後側口金２３Ａの下面、すなわち天板１がラックＲに固定されるときラックＲの天板Ｒ１の後縁に対向する面には、たとえば、接触部１１Ａと同様な部材からなる接触部２６Ａが設けられている。
【００２３】
ナット２４Ａは、ボルト２１Ａの頂部に螺合する。
【００２４】
ラック固定金具２Ｂは、ラック固定金具２Ａと実質的に同一の構成を有している。本明細書及び図面では、ラック固定金具２Ｂを構成する各部のうち、ラック固定金具２Ａのボルト２１Ａ、前側口金２２Ａ、後側口金２３Ａ、ナット２４Ａ、接触部２５Ａ及び２６Ａに相当する部分を、それぞれボルト２１Ｂ、前側口金２２Ｂ、後側口金２３Ｂ、ナット２４Ｂ、接触部２５Ｂ及び２６Ｂとする。
【００２５】
一対のバー収納レール３Ａ及び３Ｂは、天板１の上面の左右両端に固定されている。なお、図１〜図３は、ラックＲの前面の側から見て天板１の上面右端にバー収納レール３Ａが固定され、上面左端にバー収納レール３Ｂが固定されている場合を図示している。
【００２６】
バー収納レール３Ａは、スライドバー４の後述する側部４Ａを収納できるようなパイプ状の形状をなしており、一端に開口部３１Ａを有している。そしてバー収納レール３Ａは、天板１を上述のようにラックＲに装着したとき開口部３１ＡがラックＲの前面と同方向を向くような向きで、天板１の上面に固定されている。
バー収納レール３Ｂは、バー収納レール３Ａと実質的に同一の構成を有しており、その一端に設けられた開口部３１Ｂが、天板１を上述のようにラックＲに装着したときラックＲの前面と同方向を向くような向きで、天板１の上面に固定されている。
【００２７】
なお、バー収納レール３Ａ及び３Ｂは、たとえば図１及び図３に示すように、補強用部材３２により相互に連結されていてもよい。
【００２８】
スライドバー４は、側部４Ａ及び４Ｂと、前部４Ｃとより構成されている。
側部４Ａは、バー収納レール３Ａの開口部３１Ａの内径より小さな外径を有する棒状をなしており、開口部３１Ａを介してスライドバー収納レール３Ａの内部にスライドさせて収納しまた引き出すことができるように配置されている。
【００２９】
側部４Ａは、多段階に伸縮可能となるように、入れ子構造をなす複数のパイプから構成されていてもよい。すなわち、たとえば図示するように、側部４Ａは１段目の側部４Ａ−１と２段目の側部４Ａ−１とからなる２段の入れ子構造を有するよう構成されていてもよいし、３段以上の入れ子構造を有していてもよい。
図１〜図３に示す構成では、１段目の側部４Ａ−１は、バー収納レール３Ａの開口部３１Ａの内径より小さな外径を有するパイプより構成されており、開口部３１Ａを介してスライドバー収納レール３Ａの内部にスライドさせて収納しまた引き出すことができるように配置されている。一方で１段目の側部４Ａ−１は、２段目の側部４Ａ−２を収納するための開口部４１Ａを有するパイプより構成されている。
２段目の側部４Ａ−２は、１段目の側部４Ａ−１の開口部４１Ａの内径より小さな外径を有するパイプより構成されており、開口部４１Ａを介して１段目の側部４Ａ−１の内部にスライドさせて収納しまた引き出すことができるように配置されている。
【００３０】
側部４Ｂは、側部４Ａと実質的に同一の構成を有しており、バー収納レール３Ｂの開口部３１Ｂを介してスライドバー収納レール３Ｂの内部に収納可能となるように配置されている。本明細書及び図面では、側部４Ｂを構成する各部のうち、１段目の側部４Ａ−１、２段目の側部４Ａ−２、開口部４１Ａに相当する部分を、それぞれ１段目の側部４Ｂ−１、２段目の側部４Ｂ−２、開口部４１Ｂとする。
【００３１】
前部４Ｃは棒状をなしており、その一端が側部４Ａの前端（すなわち、側部４Ａの両端のうち、バー収納レール３Ａから側部４Ａを引き出したとき突出する側の端）に接続されており、他端が側部４Ｂの前端に接続されている。従って、側部４Ａ、側部４Ｂ及び前部４Ｃは全体として、上方から見て「コ」の字形をなしている。
【００３２】
側部４Ａ、側部４Ｂ及び前部４Ｃの各外表部分には、たとえば図示するように、アイルカーテン５を繰り返し着脱可能な形で装着するための任意の構造を有する着脱部４２が設けられている。着脱部４２は、具体的には、たとえばファスナー（マジックテープ（登録商標）など）、あるいはフックなどより構成されていればよい。
【００３３】
アイルカーテン５は、たとえば、高さがラックＲの高さにほぼ等しい短冊形のシート５１−１〜５１−ｍ（ｍはシートの総枚数）より構成されている。シート５１−１〜５１−ｍは、空気を遮断する任意の材質からなり、屈曲可能な材質からなっていてもよいし、屈曲しない、あるいはたわみを生じない材質からなっていてもよい。
【００３４】
シート５１−１〜５１−ｍの各々の頂辺近傍には、たとえば、シート５１−１〜５１−ｍをスライドバー４に装着するための着脱部５２が設けられている。すなわち着脱部５２は、たとえば着脱部４２がファスナーより構成されている場合は、これに繰り返し着脱可能なファスナーより構成されており、着脱部４２がフックより構成されている場合は、このフックに懸架可能なフックなどより構成されている。
なお、図２は、アイルカーテン５のうち、スライドバー４の側部４Ａに装着する部分をなすシートがシート５１−１〜５１−６の６枚である場合を例示するものである。また、図２は、アイルカーテン５がスライドバー４に装着されていない状態を図示している。
【００３５】
天井板６は、空気を遮断する材質からなり、スライドバー４の側部４Ａ及び４Ｂがスライドバー収納レール３Ａ及び３Ｂから引き出された状態（加えて、側部４Ａ及び４Ｂが多段階に伸縮可能な構成をとっているときはこれらが伸長された状態）で、側部４Ａ、側部４Ｂ、前部４Ｃ及び天板１の前縁に囲まれる平面を覆うように配置される。
【００３６】
このアイルキャップ装置を使用する際は、たとえば、このアイルキャップ装置を以下（１）〜（５）として示す手順を施した状態にする。
（１）  ラックＲを、たとえば図２に示すように、冷気の導入口Ｄを備えた床Ｆ上に設置する。この際、（４）で後述するようにアイルカーテン５が装着されたときアイルカーテン５とラックＲの前面とによって囲まれる空間が、冷気の導入口Ｄの上方に位置するようにする。
（２）  ラック固定金具２Ａの前側口金２２ＡがラックＲの天板Ｒ１の前縁右端部分（ラックＲの前面に向かって右端）に対向し、後側口金２３Ａが天板Ｒ１の後縁左端部分（ラックＲの背面に向かって左端）に対向するようにして、天板Ｒ１を前側口金２２Ａと後側口金２３Ａとの間で奥行き方向に挟み、ナット２４Ａをボルト２１Ａの頂部からねじ止めすることにより締め付ける。同様に、ラック固定金具２Ｂの前側口金２２Ｂが天板Ｒ１の前縁左端部分（ラックＲの前面に向かって左端）に、後側口金２３Ｂが天板Ｒ１の後縁右端部分（ラックＲの背面に向かって右端）にそれぞれ対向するようにして、天板Ｒ１を前側口金２２Ｂと後側口金２３Ｂとの間で奥行き方向に挟み、ナット２４Ｂをボルト２１Ｂの頂部からねじ止めすることにより締め付ける。
（３）  また、スライドバー４の側部４Ａ及び４Ｂをスライドバー収納レール３Ａ及び３Ｂからスライドさせて引き出された状態とする。
（４）  そして、アイルカーテン５を構成するシート５１−１〜５１−ｍに設けられた着脱部５２を、スライドバー４の側部４Ａ、側部４Ａ及び前部４Ｃに設けられた着脱部４２に接着することによって、アイルカーテン５をスライドバー４に装着する。シート５１−１〜５１−ｍの装着は、具体的には、たとえば図示するように、隣接するシート同士が互いに一定量以上の幅で重なるようにして行われればよい。
（５）  天井板６を、側部４Ａ、側部４Ｂ、前部４Ｃ及び天板１の前縁に囲まれる平面を覆うように配置する。
【００３７】
上述した（１）〜（５）の手順を行った状態で、排熱を行うべき機器を、たとえばその給気口がラックＲの前面方向を向くようにしてラックＲに収納して動作させ、一方で、冷気の導入口Ｄからは冷気を供給すると、冷気は、アイルカーテン５、天井板６及びラックＲの前面とによって囲まれる空間に供給され、この空間の外部への流出をアイルカーテン５によって遮断された状態で、ラックＲに収納された機器の給気口へと導かれる。
【００３８】
図１〜図３の構成では、冷気の導入口ＤからラックＲ内の機器に向かう冷気の流れが、個々のラックごとに確保される。従って、ラックＲに収納される機器の発熱量や吸排気の態様がさまざまであっても、各機器の排熱を効率的に行うことができる。
【００３９】
また、アイルカーテン５は、個々のスライドバー４に、着脱可能な形で装着されるので、個々のアイルカーテン５は大型のものである必要がなく、また、アイルカーテン５の着脱は容易になる。
【００４０】
また、給気口をラックＲの前面方向に向けて収納することができない等の理由で、機器を反対方向に収納する場合は、たとえば図４に例示するような、当該機器が収納されるラック（参照符号「ＲＲ」を付して示す）については、上述の（１）〜（５）の手順を行うにあたって、ラックＲＲの背面が前面であるものとしてこれらの手順を行ってもよい。
ラックＲＲについてこのような手順を施せば、複数のラックに対して冷気の供給をコールドアイルから一括して行う手法に比べて、ラックＲＲ内の機器の給気口に供給される冷気を確保することが可能になり、また、ラックＲＲ内の機器が排気する暖気が他のラック内の機器に供給されることを防止できるので、各機器の排熱の効率化が可能となる。
【００４１】
また、たとえば床Ｆが暖気の排出口を有する場合は、上述した（１）〜（５）の手順を、冷気の導入口Ｄを当該排出口と読み替えて行った状態で、排熱を行うべき機器を、たとえばその排気口がラックＲの前面方向を向くようにしてラックＲに収納して動作させるようにしてもよい。この場合、機器が排出する暖気は、アイルカーテン５、天井板６及びラックＲの前面とによって囲まれる空間に供給され、この空間の外部への流出をアイルカーテン５によって遮断された状態で、床Ｆが備える暖気の排出口へと導かれる。
【００４２】
なお、このアイルキャップ装置の構成は上述のものに限られない。
たとえば、ラック固定金具２Ａ及び２Ｂは、必ずしもこのアイルキャップ装置をラックＲにクランプして固定するものである必要はなく、他の手法、たとえば図５に示すように、ねじ止めにより固定するものであってもよい。
【００４３】
図５に示す例では、ラック固定金具２Ａは、前側部２０１Ａと、後側部２０２Ａとより構成されており、前側部２０１Ａ及び２０２Ａは、それぞれ、スライドバー収納レール３Ａの前端及び後端に結合されている。そして、前側部２０１Ａは、たとえばラックＲの天板Ｒ１の前縁右端（ラックＲの前面に向かって右端）付近で天板Ｒ１にねじ止めされ、後側部２０２Ａは、たとえば天板Ｒ１の後縁左端（ラックＲの背面に向かって左端）付近で天板Ｒ１にねじ止めされる。ラック固定金具２Ｂも同様に、前側部２０１Ｂと、後側部２０２Ｂとより構成されており、これらはそれぞれ、スライドバー収納レール３Ｂの前端及び後端に結合されている。前側部２０１Ｂ及び後側部２０２Ｂはそれぞれ、たとえば天板Ｒ１の前縁左端（ラックＲの前面に向かって左端）付近及び後縁右端（ラックＲの背面に向かって右端）付近で天板Ｒ１にねじ止めされる。
【００４４】
なお、図５の構成では、スライドバー４の側部４Ａを構成する１段目及び２段目の側部４Ａ−１及び４Ａ−１、側部４Ｂを構成する１段目及び２段目の側部４Ｂ−１及び４Ｂ−１並びに前部４Ｃはいずれも板状をなしている。１段目の側部４Ａ−１及び２段目の側部４Ａ−２は、たとえば板状のスライドバー固定金具４３Ａの両端にそれぞれねじ止めされることにより、互いに連結される。同様に、１段目の側部４Ｂ−１及び２段目の側部４Ｂ−２は、たとえば板状のスライドバー固定金具４３Ｂの両端にそれぞれねじ止めされることにより、互いに連結される。着脱部４２は、前部４Ｃのほか、たとえばスライドバー固定金具４３Ａ及び４３Ｂに設けられている。
【００４５】
また、このアイルキャップ装置は、スライドバー４が天板１に固定される代わりに、アイルカーテン５が自立できるような構成を有していてもよい。
具体的には、たとえば図６に示すように、直立する４本の脚部７Ａ〜７Ｄを備え、脚部７Ａ、７Ｂ、７Ｃ及び７Ｄの各頂部が、それぞれ、スライドバー４の１段目の側部４Ａ−１の後端、２段目の側部４Ａ−２の前端、２段目の側部４Ｂ−１の後端及び２段目の側部４Ｂ−２の前端に結合された構造を有していてもよい。なお、図６の構成において、１段目の側部４Ａ−１及び４Ｂ−２の各後端は、必ずしもスライドバー収納レール３Ａ及び３Ｂを介して天板１に固定されている必要はない。
【符号の説明】
【００４６】
１    天板
１１Ａ〜１１Ｄ    固定用脚部
１２Ａ〜１２Ｄ    接触部
２Ａ，２Ｂ    ラック固定金具
２１Ａ，２１Ｂ    ボルト
２２Ａ，２２Ｂ    前側口金
２３Ａ，２３Ｂ    後側口金
２４Ａ，２４Ｂ    ナット
２５Ａ，２５Ｂ，２６Ａ，２６Ｂ    接触部
３Ａ，３Ｂ    バー収納レール
３１Ａ，３１Ｂ  開口部
３２  補強用部材
４    スライドバー
４Ａ，４Ｂ  側部
４Ａ−１，４Ｂ−１  １段目の側部
４Ａ−２，４Ｂ−２  ２段目の側部
４Ｃ  前部
４１Ａ，４１Ｂ  開口部
４２  着脱部
５    アイルカーテン
５１−１〜５１−ｍ    シート
５２  着脱部
６    天井板
【図１】
2012084700.tif 000003
【図２】
2012084700.tif 000004
【図３】
2012084700.tif 000005
【図４】
2012084700.tif 000006
【図５】
2012084700.tif 000007
【図６】
2012084700.tif 000008